(57)【要約】【課題】印刷画像の微調整を手動で行う場合、編集画面上から被写体像が見失われることがある。【解決手段】操作画面の生成装置に、（ａ）印刷領域に対応する作業画面に、ユーザー操作により指定された表示位置及び表示倍率で被写体像を表示する作業画面内画像生成部と、（ｂ）被写体像の全体が作業画面の表示領域から外にはみ出す場合に、作業画面と被写体像の位置関係に基づいて作業画面の外縁部分の表示態様を変更する被写体位置明示部とを搭載する。【選択図】図８
2008016900.tif 000002
【特許請求の範囲】
【請求項１】
印刷領域に対応する作業画面に、ユーザー操作により指定された表示位置及び表示倍率で被写体像を表示する作業画面内画像生成部と、
前記被写体像の全体が前記作業画面の表示領域から外にはみ出す場合に、前記作業画面と前記被写体像の位置関係に基づいて対応する前記作業画面の外縁部分の表示態様を変更する被写体位置明示部と
を有することを特徴とする操作画面生成装置。
【請求項２】
印刷領域に対応する作業画面に、ユーザー操作により指定された表示位置及び表示倍率で被写体像を表示する作業画面内画像生成部と、
前記作業画面の外縁に沿って配置される確認画面に、前記作業画面の外縁位置を表す基準線と、当該基準線の内外近傍に位置する被写体像を拡大して表示する確認画面内画像生成部と、
前記被写体像の全体が前記作業画面の表示領域から外にはみ出す場合に、前記作業画面と前記被写体像の位置関係に基づいて対応する前記確認画面の表示態様を変更する被写体位置明示部と
を有することを特徴とする操作画面生成装置。
【請求項３】
請求項２に記載の操作画面生成装置において、
前記被写体位置明示部は、前記基準線を強調表示する
ことを特徴とする操作画面生成装置。
【請求項４】
操作入力部と、
表示デバイスと、
印刷用紙上に画像を形成する印刷デバイスと、
印刷領域に対応する作業画面に、ユーザー操作により指定された表示位置及び表示倍率で被写体像を表示する作業画面内画像生成部と、
前記被写体像の全体が前記作業画面の表示領域から外にはみ出す場合に、前記作業画面と前記被写体像の位置関係に基づいて対応する前記作業画面の外縁部分の表示態様を変更する被写体位置明示部と、
印刷の実行指示を条件に、前記作業画面内の被写体像に対応する画像データを前記印刷デバイスに供給する印刷データ生成部と
を有することを特徴とする印刷装置。
【請求項５】
操作入力部と、
表示デバイスと、
印刷用紙上に画像を形成する印刷デバイスと、
印刷領域に対応する作業画面に、ユーザー操作により指定された表示位置及び表示倍率で被写体像を表示する作業画面内画像生成部と、
前記作業画面の外縁に沿って配置される確認画面に、前記作業画面の外縁位置を表す基準線と、当該基準線の内外近傍に位置する被写体像を拡大して表示する確認画面内画像生成部と、
前記被写体像の全体が前記作業画面の表示領域から外にはみ出す場合に、前記作業画面と前記被写体像の位置関係に基づいて対応する前記確認画面の表示態様を変更する被写体位置明示部と、
印刷の実行指示を条件に、前記作業画面内の被写体像に対応する画像データを前記印刷デバイスに供給する印刷データ生成部と
を有することを特徴とする印刷装置。
【請求項６】
撮像デバイスと、
操作入力部と、
表示デバイスと、
印刷デバイスに画像データを出力するインターフェースと、
印刷領域に対応する作業画面に、ユーザー操作により指定された表示位置及び表示倍率で被写体像を表示する作業画面内画像生成部と、
前記被写体像の全体が前記作業画面の表示領域から外にはみ出す場合に、前記作業画面と前記被写体像の位置関係に基づいて対応する前記作業画面の外縁部分の表示態様を変更する被写体位置明示部と、
印刷の実行指示を条件に、前記作業画面内の被写体像に対応する画像データを前記インターフェース経由で印刷デバイスに供給する印刷データ生成部と
を有することを特徴とする撮像装置。
【請求項７】
撮像デバイスと、
操作入力部と、
表示デバイスと、
印刷デバイスに画像データを出力するインターフェースと、
印刷領域に対応する作業画面に、ユーザー操作により指定された表示位置及び表示倍率で被写体像を表示する作業画面内画像生成部と、
前記作業画面の外縁に沿って配置される確認画面に、前記作業画面の外縁位置を表す基準線と、当該基準線の内外近傍に位置する被写体像を拡大して表示する確認画面内画像生成部と、
前記被写体像の全体が前記作業画面の表示領域から外にはみ出す場合に、前記作業画面と前記被写体像の位置関係に基づいて対応する前記確認画面の表示態様を変更する被写体位置明示部と、
印刷の実行指示を条件に、前記作業画面内の被写体像に対応する画像データを前記インターレース経由で印刷デバイスに供給する印刷データ生成部と
を有することを特徴とする撮像装置。
【請求項８】
印刷領域に対応する作業画面に、ユーザー操作により指定された表示位置及び表示倍率で被写体像を表示する処理と、
前記被写体像の全体が前記作業画面の表示領域から外にはみ出す場合に、前記作業画面と前記被写体像の位置関係に基づいて対応する前記作業画面の外縁部分の表示態様を変更する処理と
を有することを特徴とする操作画面生成方法。
【請求項９】
印刷領域に対応する作業画面に、ユーザー操作により指定された表示位置及び表示倍率で被写体像を表示する処理と、
前記作業画面の外縁に沿って配置される確認画面に、前記作業画面の外縁位置を表す基準線と、当該基準線の内外近傍に位置する被写体像を拡大して表示する処理と、
前記被写体像の全体が前記作業画面の表示領域から外にはみ出す場合に、前記作業画面と前記被写体像の位置関係に基づいて対応する前記確認画面の表示態様を変更する処理と
を有することを特徴とする操作画面生成方法。
【請求項１０】
画像データを処理するコンピュータに、
印刷領域に対応する作業画面に、ユーザー操作により指定された表示位置及び表示倍率で被写体像を表示する処理と、
前記被写体像の全体が前記作業画面の表示領域から外にはみ出す場合に、前記作業画面と前記被写体像の位置関係に基づいて対応する前記作業画面の外縁部分の表示態様を変更する処理と
を実行させるコンピュータプログラム。
【請求項１１】
画像データを処理するコンピュータに、
印刷領域に対応する作業画面に、ユーザー操作により指定された表示位置及び表示倍率で被写体像を表示する処理と、
前記作業画面の外縁に沿って配置される確認画面に、前記作業画面の外縁位置を表す基準線と、当該基準線の内外近傍に位置する被写体像を拡大して表示する処理と、
前記被写体像の全体が前記作業画面の表示領域から外にはみ出す場合に、前記作業画面と前記被写体像の位置関係に基づいて対応する前記確認画面の表示態様を変更する処理と
を実行させるコンピュータプログラム。
【発明の詳細な説明】
【技術分野】
【０００１】
この明細書で説明する発明は、被写体像上に印刷領域を設定する場合に使用する操作画面の表示技術に関する。
発明者が提案する発明は、操作画面生成装置、印刷装置、撮像装置、操作画面生成方法及びプログラムとしての側面を有する。
【背景技術】
【０００２】
印刷画像の受付時には、原画像（被写体像）上の任意の領域に印刷領域を設定できるものがある。例えばユーザー自らが、印刷領域に対応する矩形フレームを原画像（被写体像）に対して相対的に移動させることにより、任意の被写体を印刷画像に設定できるものがある。なお、矩形フレームは、印刷用紙のアスペクト比と同じに定められる。
【０００３】
図１に、この種の印刷領域の設定例を示す。図１は、原画像（被写体像）１の面積が、印刷領域３の面積よりも大きい場合を表している。図１は、印刷領域３を左側の被写体から右側の被写体に移動させる様子を表している。
【特許文献１】特開２００３−２４４５８６号公報
【発明の開示】
【発明が解決しようとする課題】
【０００４】
ところで、印刷領域３の位置決め作業中には、印刷領域３の全体が原画像（被写体像）１の外にはみ出てしまうことがある。
ところが、作業画面には原画像１と印刷領域３の重複部分しか表示されない。すなわち、印刷領域３の内側に位置する被写体しか表示されない。
【０００５】
このため、図２に示すように原画像１の全体が印刷領域３から外れてしまうと、ユーザーは、原画像１と印刷領域３の位置関係を確認することができなくなってしまう。すなわち、作業画面（印刷領域３）に対する原画像１の位置を完全に見失ってしまう。
【課題を解決するための手段】
【０００６】
そこで、発明者は、作業中に印刷領域が原画像（被写体像）からはみ出た場合にも、その位置関係を画面上で確認できる操作画面を提案する。
【０００７】
（Ａ）解決手段１
例えば、以下に示す表示機能を有する操作画面の生成装置を提案する。
（ａ）印刷領域に対応する作業画面に、ユーザー操作により指定された表示位置及び表示倍率で被写体像を表示する作業画面内画像生成部
（ｂ）被写体像の全体が作業画面の表示領域から外にはみ出す場合に、作業画面と被写体像の位置関係に基づいて作業画面の外縁部分の表示態様を変更する被写体位置明示部
【０００８】
（Ｂ）解決手段２
また例えば、以下に示す表示機能を有する操作画面の生成装置を提案する。
（ａ）印刷領域に対応する作業画面に、ユーザー操作により指定された表示位置及び表示倍率で被写体像を表示する作業画面内画像生成部
（ｂ）作業画面の外縁に沿って配置される確認画面に、作業画面の外縁位置を表す基準線と、当該基準線の内外近傍に位置する被写体像を拡大して表示する確認画面内画像生成部
（ｃ）被写体像の全体が作業画面の表示領域から外にはみ出す場合に、作業画面と被写体像の位置関係に基づいて確認画面の表示態様を変更する被写体位置明示部
【発明の効果】
【０００９】
発明者の提案する操作画面では、被写体像の全体が作業画面からはみ出ると、当該被写体像が位置する作業画面の外縁部分又は確認画面の表示態様の変更して被写体像の存在位置を明示する。このため、被写体像を作業画面上にて確認できない場合でも、正確な位置関係を前提とした操作入力を可能にできる。
【発明を実施するための最良の形態】
【００１０】
以下、発明に係る操作画面の表示機能について説明する。
なお、本明細書で特に図示又は記載されない部分には、当該技術分野の周知又は公知技術を適用する。
また以下に説明する形態例は、発明の一つの形態例であって、これらに限定されるものではない。
【００１１】
（Ａ）セルフ操作型印刷装置
以下、セルフ操作型印刷装置に発明者の提案する表示技術を搭載する場合について説明する。なお、この明細書において、セルフ操作型印刷装置とは、店頭、イベント会場その他に設置される業務用の印刷システムをいう。
【００１２】
（Ａ−１）外観構成例
図３に、セルフ操作型印刷装置１１の外観構成例を示す。このセルフ操作型印刷装置１１は、箱形の筐体１３内に制御装置と昇華型の印刷装置とを内蔵する。
筐体１３の正面上部には、タッチパネルスクリーン１５を配置する。このタッチパネルスクリーン１５は、表示画面の表面にタッチパネルを配置した複合型の表示デバイスである。
【００１３】
筐体１３の正面中央部には、ユーザーの持参した外部記憶媒体を挿入するための媒体挿入口１７が配置されている。媒体挿入口１７は、可搬型の記憶媒体の形状や規格に応じて複数種類用意される。可搬型の記憶媒体には、例えばディスク状の光学式記憶媒体、カード形状やガム形状の半導体記憶装置を使用する。
【００１４】
筐体１３の正面下部には、精算用の入出金口や写真取出口が配置される。写真取出口には、印刷された写真が排出される。ユーザーは、写真取出口に手を差し込むことにより、印刷された写真を取り出すことができる。
【００１５】
なお、セルフ操作型印刷装置１１には、消耗品として、ロール紙（被印刷媒体をロール状に巻回したもの）とインクリボンとが装着される。インクリボンは、印刷用の基本色に対応する一組の固体インクを順番に塗布したフィルムで構成される。
【００１６】
（Ａ−２）筐体内部の構成
図４に、セルフ操作型印刷装置１１の筐体内部の機能ブロック構成を示す。このセルフ操作型印刷装置１１は、表示部２１、操作入力部２３、外部記憶媒体制御部２５、外部記憶媒体挿入口２７、画像形成制御部２９、画像形成部３１、システム制御部３３、補助記憶装置３５、音声処理部３７、スピーカ３９、用紙サイズセンサ４１で構成される。
【００１７】
表示部２１は、写真印刷の受付画面その他を表示する表示デバイスである。例えば、ＣＲＴディスプレイ、フラットパネルディスプレイで構成される。受付画面は、例えば印刷画像、出力枚数、印刷用紙のサイズやアスペクト比の選択、構図の編集等の受け付けに使用される。
【００１８】
操作入力部２３は、使用者の操作に応じた指示内容をシステム制御部３３に与える入力デバイスである。前述したように、この形態例では、タッチパネルを使用する。もっとも、ボタン、スイッチその他のポインティングデバイスで構成しても良い。
【００１９】
外部記憶媒体制御部２５は、外部記憶媒体挿入口２７（図３の媒体挿入口１７）に挿入された外部記憶媒体に対するデータの読み書きを制御する制御デバイスである。外部記憶媒体制御部２５は、外部記憶媒体のファイルシステムにアクセスし、必要なデータファイルを読み出す機能を実現する。読み出された画像ファイルは補助記憶装置３５に記憶される。
【００２０】
画像形成制御部２９は、コネクタ経由で接続された画像形成部３１に対する画像データの出力を制御する制御デバイスである。通常、画像形成部３１は、印刷サイズ別に複数台搭載される。画像形成制御部２９は、利用者の指示した用紙サイズに対応する印刷キュー別に画像データを出力する機能を提供する。
【００２１】
この例の場合、印刷サイズは、Ｌサイズ（3.5×5インチ）、２Ｌサイズ（5×7インチ）、ＫＧサイズ（4×6インチ）、２ＫＧ（6×8インチ）の４種類とする。なお、画像形成部３１は、昇華型の印刷ヘッド（独立に駆動される多数の発熱体を一列に配列したヘッド）とその駆動回路とで構成される。
【００２２】
システム制御部３３は、ファームウェアに従ってシステム全体を制御する制御デバイスである。例えば、マイクロプロセッサで構成する。システム制御部３３は、操作画面（ユーザーインターフェース画面）の生成機能、被写体像の印刷機能、データ形式の変換機能その他を実行する。
【００２３】
例えば画像データが非圧縮形式（ＲＧＢデータ形式）で与えられる場合、システム制御部３３は、原画像データの色調を印刷用に調整する処理を実行する。
また例えば画像データが圧縮形式で与えられる場合、システム制御部３３は、圧縮画像データを解凍する処理と、解凍後の画像データ（Ｙ（輝度）データ、Ｃｂ、Ｃｒ（色差）データ）をＲＧＢデータ形式に変換する処理とを実行する。
【００２４】
なお、印刷実行時には、ＲＧＢ形式の画像データをＣＭＹＫ形式の画像データに変換する処理を実行する。ここで、ＣＭＹＫデータとは、シアン（Ｃ）、マゼンタ（Ｍ）、イエロー（Ｙ）、ブラック（Ｋ）の４色で与えられるデータ形式をいう。勿論、これら４色以外の印刷色が用意されている場合には、当該色も含めたデータ形式に変換する処理が実行される。
【００２５】
補助記憶装置３５は、ファームウェア、画像データ、広告データその他の格納に使用される記憶デバイスである。例えば、磁気記憶装置の一つであるハードディスク装置で構成する。なお、補助記憶装置３５は、後述する操作画面の生成プログラムの他、複数種類の印刷サイズとアスペクト比に関する情報その他も格納する。
【００２６】
音声処理部３７は、操作説明や広告を音声出力する信号処理デバイスである。音声や楽音は、スピーカ３９を通じて出力される。
用紙サイズセンサ４１は、装着されたロール紙が対応する用紙のサイズとアスペクト比を自動的に検出するセンサーである。検出結果はシステム制御部３３に与えられる。
【００２７】
（Ａ−３）操作画面（ユーザーインターフェース画面）の生成機能例
続いて、発明者が提案する操作画面（ユーザーインターフェース画面）の生成機能を実現するために必要な機能構成例を説明する。
図５に、操作画面生成機能部５１の機能構成例を示す。もっとも、図５は、画面上に表示される数々の操作画面のうち発明者の提案する操作画面に関する機能にのみ対応する。
【００２８】
操作画面生成機能部５１は、作業画面内画像生成部５３、確認画面内画像生成部５５及び被写体位置明示部５７の３つで構成される。
作業画面内画像生成部５３は、印刷領域に対応する作業画面に、ユーザー操作により指定された表示位置及び表示倍率で被写体像を表示する処理機能部である。
【００２９】
なお、作業画面のアスペクト比は、印刷領域と同じアスペクト比に自動的に制御される。ここでの印刷領域は、用紙サイズセンサ４１で検出された用紙サイズ又はユーザーにより個別に指定された用紙サイズのうち画像を実際に形成できる範囲を意味する。
【００３０】
確認画面内画像生成部５５は、作業画面の外縁に沿って配置される確認画面に、作業画面の外縁位置を表す基準線と、当該基準線の内外近傍に位置する被写体像を拡大して表示する処理機能部である。
【００３１】
図６に、操作画面生成機能部５１が前提とする操作画面の構造を示す。図６に示すように、操作画面は、作業画面６１と、その外縁に沿って配置される確認画面６３の２つで構成する。
【００３２】
作業画面６１は、被写体像の選択、設定、構図の確認、編集等に使用されるユーザーの作業領域である。作業画面６１のアスペクト比は、使用可能な印刷用紙のアスペクト比やユーザーの指定した印刷用紙のアスペクト比と同じになるように自動的に調整される。この作業画面６１に、編集対象に選択された被写体像の全体又は一部分が表示される。
【００３３】
確認画面６３は、印刷領域の外縁（作業画面６１の外縁に一致する）に位置する被写体像の確認が容易なように作業画面６１の外縁近傍を拡大して表示する表示領域である。この形態例の場合、作業画面６１に表示される被写体像の２倍の大きさで表示される。また、確認画面６３には、作業画面６１の外縁位置を表す基準線６５が表示される。図６の場合、基準線６５は破線にて表示される。
【００３４】
基準線６５の表示により、印刷領域と非印刷領域の識別が可能になる。
例えば基準線６５より作業画面６１側（内側領域）にある被写体像は、印刷できることが分かる。
一方、それ以外（外側領域）にある被写体像は、印刷できないことが分かる。
【００３５】
従って、被写体像と基準線６５との重なり部分を確認すれば、どの部分までが印刷でき、どの部分からは印刷できないかを簡単に確認することができる。なお、被写体像の外縁部分と基準線６５との間に隙間がある場合には、印刷時に余白が発生することが分かる。
このように、確認画面６３は、余白や被写体像の切れ目の確認に便利である。
【００３６】
加えて、確認画面６３は、対応位置の被写体像が２倍に拡大されて表示される。従って、余白や画像の切れ目の確認がより容易になる。
なお、図６では、確認画面６３は、作業画面６１の４辺と４隅に対応する８つの外縁位置に配置する場合について表している。
【００３７】
被写体位置明示部５７は、被写体像の全体が作業画面６１の表示領域から外にはみ出す場合（前述した図２の場合）に、作業画面６１と被写体像の位置関係に基づいて対応する確認画面６３の表示態様を変更する処理機能部である。
【００３８】
この形態例の場合、被写体位置明示部５７は、作業画面６１（すなわち、印刷領域）の外に被写体像の全体がはみ出てしまった場合、図７に示すように、対応する１つ又は複数の確認画面６３の表示枠を強調して表示する。図７の場合、確認画面６３の表示枠は表示態様が細線から太線に変更される。
【００３９】
図８〜図１１に、位置関係に応じた確認画面６３の強調表示例を示す。
図８は、作業画面６１の左下隅と被写体像の右上隅の一点で接触する場合（図８（Ａ））における確認画面６３の強調表示例である。
【００４０】
この場合、図８（Ｂ）に示すように、作業画面６１の左下隅に位置する確認画面６３だけが選択的に強調表示される。従って、ユーザーは、印刷領域を左斜め下方向に移動させれば良いことが分かる。なお、被写体像を移動させる場合には、右斜め上方向に移動させればよいことが分かる。
【００４１】
図９は、作業画面６１の左辺（両端付近を除く）で被写体像が接触する場合（図９（Ａ））における確認画面６３の強調表示例である。
この場合、図９（Ｂ）に示すように、作業画面６１の左辺中央に位置する確認画面６３だけが選択的に強調表示される。
【００４２】
このような表示は、被写体像の縦方向の画面サイズが印刷領域の縦方向の画面サイズより小さい場合に起こり得る。
従って、この場合、ユーザーは、印刷領域を左方向に移動させれば良いことが分かる。なお、被写体像を移動させる場合には、右向に移動させればよいことが分かる。
【００４３】
図１０は、作業画面６１の左辺下端側で被写体像が接触する場合（図１０（Ａ））における確認画面６３の強調表示例である。
この場合、図１０（Ｂ）に示すように、作業画面６１の左辺中央と下端に位置する２つの確認画面６３が選択的に強調表示される。
【００４４】
従って、この場合、ユーザーは、印刷領域を少なくとも左方向に、より適切には左方斜め下方向に移動させれば良いことが分かる。なお、被写体像を移動させる場合には、少なくとも右方向に、より適切には右向斜め上方向に移動させればよいことが分かる。
【００４５】
図１１は、作業画面６１の左辺全体で被写体像が接触する場合（図１１（Ａ））における確認画面６３の強調表示例である。
この場合、図１１（Ｂ）に示すように、作業画面６１の左辺中央と上下端に位置する３つの確認画面６３が選択的に強調表示される。
【００４６】
このような表示は、被写体像と印刷領域の縦方向の画面サイズが一致するか、被写体像の縦方向の画面サイズの方が印刷領域の縦方向の画面サイズより大きい場合に起こり得る。
従って、この場合、ユーザーは、印刷領域を左方向に移動させれば良いことが分かる。なお、被写体像を移動させる場合には、右方向に移動させればよいことが分かる。
【００４７】
以上の４種類が強調表示の基本形態である。なお、２つの確認画面６３が強調表示される場合には、図１２に示すように、被写体像が作業画面の左辺上端側で接触する場合もある。
これらの強調表示が作業画面６１の４辺について（すなわち作業画面の上辺、下辺、左辺、右辺の各辺について）、被写体像と印刷領域の位置関係に応じて表示される。
【００４８】
（Ａ−４）被写体像の決定から印刷開始までの動作
（ａ）概略動作
図１３に、被写体像の決定から印刷開始までの処理手順の概略例を示す。図１３に示す処理手順は、操作画面上で特定の被写体像が選択された時点で実行される。
まず、システム制御部３３は、選択された被写体像と印刷用紙のアスペクト比が同じか否かを判定する（Ｓ１）。
【００４９】
処理Ｓ１で肯定結果が得られた場合、システム制御部３３は、ユーザーが編集画面の表示を指示しているか否かを判定する（Ｓ２）。この判定処理は、印刷を開始する前に被写体像の構図や飾りを追加したいユーザーに備えて用意されている。
この処理Ｓ２で否定結果が得られた場合、システム制御部３３は、印刷開始を画像形成制御部２９に指示する（Ｓ３）。
【００５０】
この際、システム制御部３３は、原色系データ（ＲＧＢデータ）から補色系データ（ＣＭＹＫデータ）に変換した画像データを画像形成制御部２９に出力する。一方、画像形成制御部２９は、この画像データにガンマ変換処理、パルス幅変換処理その他の画像処理を実行する。すなわち、画像形成制御部２９は、昇華型の印刷ヘッドの駆動に適したデータ形式に変換する処理を実行する。
【００５１】
一方、処理Ｓ１で否定結果が得られた場合又は処理Ｓ２で肯定結果が得られた場合、システム制御部３３は、編集画面（作業画面６１）をタッチパネルスクリーン１５に表示する（Ｓ４）。
【００５２】
編集画面（作業画面６１）では、被写体像の拡大・縮小、印刷領域の移動その他の編集作業が実行される。この編集画面において、被写体像の全体が印刷領域からはみ出るとき、前述した確認画面の強調表示機能が実行される。なお、編集画面が表示されている場合における詳細動作は後述する。
【００５３】
編集作業の確定は、例えば印刷ボタンの操作により指示入力される。システム制御部３３は、印刷ボタンの操作が検出されると、印刷開始が指示されたものと判定する（Ｓ５）。
この後、システム制御部３３は、印刷対象とする被写体像が低解像度画像か否かを判定する（Ｓ６）。
【００５４】
すなわち、印刷領域内に位置する被写体像の画素数と印刷用紙との関係に基づいて、印刷すると画質の低い低解像度画像になるか否かを判定する。
低解像度画像でないと判定された場合、システム制御部３３は、当該被写体像の印刷処理を開始する（Ｓ３）。
【００５５】
一方、低解像度画像であると判定された場合、システム制御部３３は、警告表示を画面上に表示し、印刷動作を続行するか否かをユーザーに問い合わせる（Ｓ７）。
この後、システム制御部３３は、ユーザーが印刷動作の続行を希望するか否かを判定する（Ｓ８）。
【００５６】
この判定処理で肯定結果が得られた場合、システム制御部３３は、そのまま被写体像の印刷を開始する（Ｓ３）。一方、否定結果が得られた場合、システム制御部３３は、再編集のため編集画面の表示（処理Ｓ４）に戻る。
これらの処理を経ることにより、被写体像が印刷用紙上に印刷される。
【００５７】
（ｂ）編集画面での処理動作
図１４及び図１５に、編集画面での表示に関連して実行される処理手順例を示す。
まず、システム制御部３３は、印刷領域の移動が指示されているか否かを判定する（Ｓ１１）。この操作は、例えば印刷領域に対する被写体像の位置関係を調整する場合に行われる。
【００５８】
この判定処理で肯定結果が得られた場合、システム制御部３３は、移動後の印刷領域と被写体像との位置関係を確認する判定処理を実行する（Ｓ１２〜Ｓ１５）。
このうち判定処理Ｓ１２では、指示通りに印刷領域を移動すると、被写体像の全体が印刷領域（作業画面６１）の左辺からはみ出るか否かが判定される。また、判定処理Ｓ１３では、指示通りに印刷領域を移動すると、被写体像の全体が印刷領域（作業画面６１）の右辺からはみ出るか否かが判定される。
【００５９】
また、判定処理Ｓ１４では、指示通りに印刷領域を移動すると、被写体像の全体が印刷領域（作業画面６１）の上辺からはみ出るか否かが判定される。また、判定処理Ｓ１５では、指示通りに印刷領域を移動すると、被写体像の全体が印刷領域（作業画面６１）の下辺からはみ出るか否かが判定される。
【００６０】
例えば被写体像の全体が印刷領域（作業画面６１）の左辺からはみ出ることになる場合（判定処理Ｓ１２で否定結果）、システム制御部３３は、印刷領域が被写体像の右辺を越えて右方に移動しないように制限する（Ｓ１６）。この制限動作は、印刷領域と被写体像の距離が無制限に大きくならないようにするために設けられる。
【００６１】
また例えば被写体像の全体が印刷領域（作業画面６１）の右辺からはみ出る場合（判定処理Ｓ１３で否定結果）、システム制御部３３は、印刷領域が被写体像の左辺を越えて左方に移動しないように制限する（Ｓ１７）。この制限動作も、印刷領域と被写体像の距離が無制限に大きくならないようにするために設けられる。
【００６２】
また例えば被写体像の全体が印刷領域（作業画面６１）の上辺からはみ出る場合（判定処理Ｓ１４で否定結果）、システム制御部３３は、印刷領域が被写体像の下辺を越えて下方に移動しないように制限する（Ｓ１８）。この制限動作も、印刷領域と被写体像の距離が無制限に大きくならないようにするために設けられる。
【００６３】
また例えば被写体像の全体が印刷領域（作業画面６１）の下辺からはみ出る場合（判定処理Ｓ１５で否定結果）、システム制御部３３は、印刷領域が被写体像の上辺を越えて上方に移動しないように制限する（Ｓ１９）。この制限動作も、印刷領域と被写体像の距離が無制限に大きくならないようにするために設けられる。
【００６４】
この後、システム制御部３３は、印刷領域の座標は変化したか否かを判定する（Ｓ２０）。この判定処理は、既に印刷領域が移動限界に位置しているか否かを判定するために用意される。
肯定結果が得られた場合、システム制御部３３は、印刷領域の座標を新たな座標値に更新すると共に、作業画面６１に更新後の位置に応じた被写体像を表示する（Ｓ２１、Ｓ２２）。
【００６５】
この後、システム制御部３３は、必要時には確認画面６３の強調表示処理（Ｓ２３）を実行する。この強調表示処理の内容は後述する。勿論、被写体像が一部でも印刷領域と重複する間は、確認画面の強調表示処理は実行されない。
【００６６】
この処理Ｓ２３の後、又は、判定処理Ｓ１１で否定結果が得られた場合、又は、判定処理Ｓ２０で否定結果が得られた場合、システム制御部３３は、編集作業が確定したか否かを判定する（Ｓ２４）。この形態例の場合、印刷ボタンが操作されたか否かを判定する。
【００６７】
この判定処理Ｓ２４で肯定結果が得られた場合、システム制御部３３は、編集画面を終了すると共に、印刷開始が指示されたものと判定する。一方、この判定処理Ｓ２４で否定結果が得られた場合、システム制御部３３は、更なる編集動作に備え、処理Ｓ１１の判定処理に戻る。
【００６８】
（ｃ）強調表示用の処理動作
図１６〜図１８に、確認画面を強調表示するための処理動作例を示す。
一連の強調処理では、８つの確定画面６３のそれぞれに対応する位置で、被写体像と印刷領域の外縁同士が一致するか否かを判定する。
【００６９】
この例の場合、まず初めに、作業画面６１の４隅に対応する４つの確認画面６３について、強調表示の必要性の有無が判定される。
まず判定処理Ｓ３１において、システム制御部３３は、作業画面６１の左上隅に位置する確認画面６３を強調表示する必要があるか否かを判定する。
【００７０】
強調表示の必要性は、印刷領域（すなわち、作業画面６１）の左上隅が被写体像の外縁に接しているか否かで判定される。ここで、肯定結果が得られた場合、システム制御部３３は、同位置の確認画面６３を強調表示する（Ｓ３２）。なお、否定結果が得られた場合、システム制御部３３は、次の判定処理に移行する。
【００７１】
次の判定処理Ｓ３３において、システム制御部３３は、作業画面６１の右上隅に位置する確認画面６３を強調表示する必要があるか否かを判定する。強調表示の必要性は、印刷領域（すなわち、作業画面６１）の右上隅が被写体像の外縁に接しているか否かで判定される。
【００７２】
ここで、肯定結果が得られた場合、システム制御部３３は、同位置の確認画面６３を強調表示する（Ｓ３４）。やはり、否定結果が得られた場合、システム制御部３３は、次の判定処理に移行する。
【００７３】
また次の判定処理Ｓ３５において、システム制御部３３は、作業画面６１の左下隅に位置する確認画面６３を強調表示する必要があるか否かを判定する。強調表示の必要性は、印刷領域（すなわち、作業画面６１）の左下隅が被写体像の外縁に接しているか否かで判定される。
【００７４】
ここで、肯定結果が得られた場合、システム制御部３３は、同位置の確認画面６３を強調表示する（Ｓ３６）。やはり、否定結果が得られた場合、システム制御部３３は、次の判定処理に移行する。
【００７５】
また次の判定処理Ｓ３７において、システム制御部３３は、作業画面６１の右下隅に位置する確認画面６３を強調表示する必要があるか否かを判定する。強調表示の必要性は、印刷領域（すなわち、作業画面６１）の右下隅が被写体像の外縁に接しているか否かで判定される。
【００７６】
ここで、肯定結果が得られた場合、システム制御部３３は、同位置の確認画面６３を強調表示する（Ｓ３８）。この処理Ｓ３８の処理が実行されると、又は判定処理Ｓ３７で否定結果が得られると、システム制御部３３は、作業画面６１の４辺に対応する４つの確認画面６３について強調処理の必要性を判定する処理に移行する。
【００７７】
まず判定処理Ｓ３９において、システム制御部３３は、作業画面６１の上辺に位置する確認画面６３を強調表示する必要があるか否かを判定する。強調表示の必要性は、印刷領域（すなわち、作業画面６１）の上辺が被写体像の外縁に接しているか否かで判定される。
【００７８】
ここで、肯定結果が得られた場合、システム制御部３３は、同位置の確認画面６３を強調表示する（Ｓ４０）。やはり、否定結果が得られた場合、システム制御部３３は、次の判定処理に移行する。
【００７９】
次の判定処理Ｓ４１において、システム制御部３３は、作業画面６１の下辺に位置する確認画面６３を強調表示する必要があるか否かを判定する。強調表示の必要性は、印刷領域（すなわち、作業画面６１）の下辺が被写体像の外縁に接しているか否かで判定される。
【００８０】
ここで、肯定結果が得られた場合、システム制御部３３は、同位置の確認画面６３を強調表示する（Ｓ４２）。やはり、否定結果が得られた場合、システム制御部３３は、次の判定処理に移行する。
【００８１】
次の判定処理Ｓ４３において、システム制御部３３は、作業画面６１の左辺に位置する確認画面６３を強調表示する必要があるか否かを判定する。強調表示の必要性は、印刷領域（すなわち、作業画面６１）の左辺が被写体像の外縁に接しているか否かで判定される。
【００８２】
ここで、肯定結果が得られた場合、システム制御部３３は、同位置の確認画面６３を強調表示する（Ｓ４４）。やはり、否定結果が得られた場合、システム制御部３３は、次の判定処理に移行する。
【００８３】
次の判定処理Ｓ４５において、システム制御部３３は、作業画面６１の右辺に位置する確認画面６３を強調表示する必要があるか否かを判定する。強調表示の必要性は、印刷領域（すなわち、作業画面６１）の右辺が被写体像の外縁に接しているか否かで判定される。
【００８４】
ここで、肯定結果が得られた場合、システム制御部３３は、同位置の確認画面６３を強調表示する（Ｓ４６）。なお、この処理Ｓ４６の終了後、又は判定処理Ｓ４５で否定結果が得られた場合、システム制御部３３は、強調表示処理を終了する。
【００８５】
（Ａ−５）操作画面例
図１９に、編集操作で使用する操作画面の一例を示す。図１９は、被写体像のうち花の部分に印刷領域が設定されている場合の表示例である。印刷領域内の画像は、作業画面６１に表示される。また、作業画面６１の外側には、印刷領域の境界付近（すなわち、作業画面６１の外縁付近）を２倍に拡大して表示する確認画面６３が表示される。
【００８６】
図１９では、画像の切れ目である茎と葉の部分がそれぞれ拡大表示されている。ユーザーは、これら２つの画面を確認しながら最終的な構図（被写体像の大きさや、被写体像に対する印刷領域の位置）を決定する作業を実行することになる。
【００８７】
なお、確認画面６３には、印刷領域（作業画面６１）の外縁を表す基準線６５が表示される。この基準線６５に注目することで、ユーザーは、被写体のどの部分までが実際に印刷され、どの部分からは印刷されないかを１つの画面内で一度に確認することができる。
【００８８】
また、この基準線６５を用いれば、印刷時に意図せぬ余白が印刷用紙の外縁付近に生じるか否かも事前に確認することができる。
図２０に、印刷領域の全周に余白が生じる場合の表示例を示す。
【００８９】
図２０の場合、作業画面６１の画面サイズによっては余白の発生の確認が難しい場合がある。
しかし、確認画面６３では、作業画面６１内の画像が２倍に拡大されて表示されるため、基準線６５との位置関係より余白の存在を容易に確認することができる。なお、余白を無くすには、被写体像の拡大と位置の移動による位置決めを行えば良い。
【００９０】
余白の有無や外縁の一致は目視を基本とするが、印刷領域の外縁と被写体像の外縁が一致する場合には、該当位置に対応する確認画面６３や基準線６５を自動的に強調表示する機能を搭載すれば、ユーザーの確認負担を軽減することができる。
【００９１】
特に、作業画面６１や確認画面６３の画像サイズが小さい場合には、強調表示機能の搭載により、余白を見落とす機会が少なくなる。なお、強調表示の手法には、確認画面６３の外枠や基準線６５を太線表示に変更する方法、確認画面６３や基準線６５の色を変更する方法その他が考えられる。
【００９２】
この他、作業画面６１には、以下に示す各種の操作ボタンを配置する。
操作ボタン７１は、被写体像の拡大ボタンであり、操作ボタン７３は被写体像の縮小ボタンである。この操作ボタンより、被写体像の画像サイズを自由に調整することができる。
【００９３】
操作ボタン７５、７７、７９及び８１は、印刷領域の移動ボタンである。操作ボタン７５の操作により、印刷領域を被写体像に対して右方向に移動することができる。また、操作ボタン７７の操作により、印刷領域を被写体像に対して左方向に移動することができる。
【００９４】
操作ボタン７９の操作により、印刷領域を被写体像に対して上方向に移動することができる。操作ボタン８１の操作により、印刷領域を被写体像に対して下方向に移動することができる。
これらの操作ボタンの操作中に被写体像の全体が印刷領域からはみ出す場合に、前述した確認画面６３の強調表示が実行される。
【００９５】
なお、操作ボタン８３は、日付の追加を指示するボタンである。また、操作ボタン８５は、画枠、吹き出しその他の飾りの追加を指示するボタンである。また、操作ボタン８７は、編集画面６１に表示する被写体像の変更を指示するボタンである。
【００９６】
また、操作ボタン８９は、用紙サイズの変更を指示するボタンである。また、操作ボタン９１は、表示画面形式の変更を指示するボタンである。この例の場合、選択された１つの印刷画像だけを画面内に表示する形式と、複数の印刷画像を一覧形式で一度に表示する形式との２種類の間で表示形式の変更が可能である。また、操作ボタン９３は、ヘルプ画面の表示を指示するボタンである。
【００９７】
（Ａ−６）前述した操作画面の採用による効果
以上のように、この形態例の場合には、被写体像の大きさや印刷領域を自由に位置決めしている最中に、被写体像の全体が印刷領域からはみ出す場合（すなわち、作業画面６１から被写体像が見失われる場合）にも、確認画面６３の強調表示により、印刷領域に対する被写体像の位置関係を的確に表現することができる。
【００９８】
このため、見失った被写体像を再発見するための追加の労力が不要となる。勿論、従来画面では必要であった見失った被写体像を再発見するための操作時間が不要となる。従って、編集時間の短縮化を実現できる。
【００９９】
また、従来画面では、被写体像を見失ってしまった場合、編集作業のやり直しが高い頻度で発生したが、発明者の提案する操作画面の場合には、被写体像を見失うことがないので、この意味での編集作業のやり直しは不要となる。従って、セルフ操作型の印刷装置１１を占有するユーザー一人当たりの滞留時間を短縮することが可能になる。
【０１００】
（Ｂ）他の実現例
（Ｂ−１）他の操作画面
前述の説明では、図８〜図１１に示すように確認画面６３の外枠を太線表示することにより、被写体像と印刷領域（作業画面６１）との位置関係を明示的に示す場合について説明した。
【０１０１】
しかし、強調表示の方法は、確認画面６３の外枠を太線で示す方法に限らない。例えば外枠の表示色を変更する方法、外枠の輝度を変更する方法、外枠を点滅表示する方法その他が考えられる。
【０１０２】
（Ｂ−２）他の操作画面
前述の説明では、図８〜図１１に示すように確認画面６３の外枠を太線表示することにより、被写体像と印刷領域（作業画面６１）との位置関係を明示的に示す場合について説明した。
【０１０３】
しかし、被写体像と印刷領域の位置関係を明示的に示す方法は、確認画面６３の外枠の表示態様を変更する方法に限らない。
例えば図２１〜図２４に示すように、確認画面６３の領域全体の表示態様を変更する手法も考えられる。
【０１０４】
図２１〜図２４は、被写体像の位置する方向の確認画面６３を塗りつぶしにより表している。なお、この場合も、表示領域全体の表示色を変更する方法、表示領域の輝度を変更する方法、表示領域を点滅表示する方法その他が考えられる。
【０１０５】
また例えば図２５〜図２８に示すように、確認画面６３のうち基準線６５の表示態様を変更する手法も考えられる。図２５〜図２８は、該当領域の基準線６５を太線で表している。なお、この場合も、基準線６５の表示色を変更する方法、基準線６５の輝度を変更する方法、基準線６５を点滅表示する方法その他が考えられる。
【０１０６】
この他、以下に示すような強調表示方法も考えられる。例えば確認画面６３が作業画面６１の４辺にのみ対応付けられている場合の表示例を図２９〜図３２に示す。これらの図の場合、作業画面６１の４隅に対応する部分には、十字マーク１０１その他の強調表示マークを表示して被写体像の位置を明示する。
【０１０７】
ところで、被写体像の位置関係の明示には、必ずしも確認画面６３の存在を前提としない。例えば図３３〜図３６に示すように、作業画面６１の外縁そのものを強調的に表示しても良い。図３３〜図３６では、強調領域に対応する外縁を太線で表している。
【０１０８】
この場合も、外縁の表示色を変更する方法、外縁の輝度を変更する方法、外縁を点滅表示する方法その他が考えられる。
もっとも、作業画面６１の外縁のうち４隅については、４隅専用の強調表示マーク１０５を位置関係の明示用に用いることが望ましい。
【０１０９】
４隅専用の強調表示マーク１０５をポップアップ形式で表示することにより、被写体像が作業画面６１の４隅に対して外方に位置する場合でも、その確認を容易なものにできる。なお、図３３〜図３６においては、強調表示マーク１０５が十字形状の場合を例示しているが、Ｌ字形状その他のマークを用いても良い。
【０１１０】
（Ｂ−３）他の操作画面
前述の説明では、確認画面６３の拡大倍率が編集画面６１の２倍である場合について説明した。しかし、拡大倍率は任意である。なお、拡大倍率は事前に設定されていても良いし、使用中にユーザーが変更できる仕組みを採用しても良い。
【０１１１】
（Ｂ−４）搭載装置例
前述の説明では、被写体像の全体が編集画面６１（印刷領域）の外にはみ出す場合に、被写体像が位置する方向の外縁領域を強調表示する機能をセルフ操作型の印刷装置に搭載する場合について説明した。
しかし、同表示機能は他の画像処理装置にも搭載することができる。
【０１１２】
同表示機能は、例えばオフィスや家庭向けの印刷装置、医療機関で使用する印刷装置にも搭載することができる。なお、基本的な機能構成は、前述した形態例と同じである。
図３７に、この種の印刷装置２０１の外観例を示す。
【０１１３】
印刷装置２０１は、筐体２０３の正面に排紙部、メディア挿入口２０５及び表示部２０７を有している。
この形態例の場合、表示部２０７に印刷対象とする被写体像を表示するものとし、編集画面６１の外縁部に確認画面６３を表示する。
【０１１４】
この他、前述した表示機能は、例えば印刷装置にスキャナを搭載する複合型の印刷装置（複合機）にも搭載することができる。この場合も、基本的な機能構成は、前述した形態例と同じである。
【０１１５】
図３８に、複合機３０１の外観例を示す。複合機３０１は、筐体３０３の正面に排紙部、メディア挿入口３０５及び表示部３０７を有している。また、筐体上面にスキャナ３０９を搭載する。
この形態例の場合、表示部３０７に印刷対象とする被写体像を表示するものとし、編集画面６１の外縁部に確認画面６３を表示する。
【０１１６】
この他、前述した表示機能は、例えばデジタルスチルカメラその他の撮像装置にも搭載することができる。なお、この撮像装置は、画像データの出力先である印刷装置との直接通信を通じて印刷用紙に関する情報を取得できるものとする。
【０１１７】
図３９に、デジタルスチルカメラ４０１の外観例を示す。デジタルスチルカメラ４０１は、筐体４０３を構成する６面のうちユーザーの操作面に、表示部４０５、押しボタン４０７、除き穴４０９、操作ボタン４１１を有している。なお、図３９には表していないが、デジタルスチルカメラ４０１には、撮像デバイスやその信号処理部が搭載される。
【０１１８】
この形態例の場合、表示部４０５に印刷対象とする被写体像を表示するものとし、編集画面６１の外縁部に確認画面６３を表示する。
なお、デジタルスチルカメラ４０１の場合も、その信号処理機能は、印刷機能や音声処理機能等を除き、セルフ操作型印刷装置１１と同様の信号処理部で構成できる。
【０１１９】
このように、操作画面の表示機能は、印刷デバイスと一体化した装置の他、印刷装置とネットワーク経由で印刷データを出力できる撮像装置その他の画像処理装置にも搭載することができる。
【０１２０】
この種の画像処理装置には、デジタルスチルカメラのような撮像専用装置だけでなく、撮像カメラを搭載する電子機器（携帯電話、携帯型の情報機器）や画像編集機能を搭載する画像編集装置、コンピュータその他にも搭載することができる。
【０１２１】
（Ｂ−５）表示機能の実現方法
前述の説明では、被写体像の全体が編集画面６１（印刷領域）の外にはみ出す場合に、被写体像が位置する方向の外縁領域を強調表示する機能をシステム制御部３３を通じて実行されるソフトウェア（コンピュータプログラム）として実現する場合について説明した。
しかし、同等の機能の全部又は一部をハードウェアにより実現しても良い。
【０１２２】
（Ｂ−６）印刷デバイス
前述の説明では、印刷デバイスとして昇華型の印刷ヘッドを搭載する場合について説明した。
しかし、印刷デバイスは任意である。例えば、インクジェットプリンタの場合、インクジェットヘッド、レーザープリンタの場合、レーザー光源と感光ドラムその他を用いることができる。
【０１２３】
（Ｂ−７）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【０１２４】
【図１】原画像（被写体像）の面積が印刷領域より大きい場合における印刷領域の設定例を示す図である。
【図２】印刷領域が原画像（被写体像）から外れた様子を説明する図である。
【図３】セルフ操作型印刷装置の外観構成例を示す図である。
【図４】セルフ操作型印刷装置の機能構成例を示す図である。
【図５】操作画面生成機能部の機能構成例を示す図である。
【図６】操作画面の構造例を示す図である。
【図７】作業画面に対する被写体像の位置関係の強調表示例を示す図である。
【図８】被写体像の位置に応じた確認画面の強調表示例を示す図である。
【図９】被写体像の位置に応じた確認画面の強調表示例を示す図である。
【図１０】被写体像の位置に応じた確認画面の強調表示例を示す図である。
【図１１】被写体像の位置に応じた確認画面の強調表示例を示す図である。
【図１２】被写体像の位置に応じた確認画面の強調表示例を示す図である。
【図１３】印刷開始までに実行される一連の処理手順例を示す図である。
【図１４】印刷開始までに実行される一連の処理手順例を示す図である。
【図１５】印刷開始までに実行される一連の処理手順例を示す図である。
【図１６】編集画面の表示に関する処理手順例を示す図である。
【図１７】編集画面の表示に関する処理手順例を示す図である。
【図１８】編集画面の表示に関する処理手順例を示す図である。
【図１９】操作画面例を示す図である。
【図２０】余白発生時の操作画面表示例を示す図である。
【図２１】被写体像の位置に応じた他の強調表示例を示す図である。
【図２２】被写体像の位置に応じた他の強調表示例を示す図である。
【図２３】被写体像の位置に応じた他の強調表示例を示す図である。
【図２４】被写体像の位置に応じた他の強調表示例を示す図である。
【図２５】被写体像の位置に応じた他の強調表示例を示す図である。
【図２６】被写体像の位置に応じた他の強調表示例を示す図である。
【図２７】被写体像の位置に応じた他の強調表示例を示す図である。
【図２８】被写体像の位置に応じた他の強調表示例を示す図である。
【図２９】被写体像の位置に応じた他の強調表示例を示す図である。
【図３０】被写体像の位置に応じた他の強調表示例を示す図である。
【図３１】被写体像の位置に応じた他の強調表示例を示す図である。
【図３２】被写体像の位置に応じた他の強調表示例を示す図である。
【図３３】被写体像の位置に応じた他の強調表示例を示す図である。
【図３４】被写体像の位置に応じた他の強調表示例を示す図である。
【図３５】被写体像の位置に応じた他の強調表示例を示す図である。
【図３６】被写体像の位置に応じた他の強調表示例を示す図である。
【図３７】操作画面生成機能を搭載する他の装置例を示す図である。
【図３８】操作画面生成機能を搭載する他の装置例を示す図である。
【図３９】操作画面生成機能を搭載する他の装置例を示す図である。
【符号の説明】
【０１２５】
１１      セルフ操作型印刷装置
１５      タッチパネルスクリーン
３３      システム制御部
４１      用紙サイズセンサ
５１      操作画面生成機能部
５３      作業画面内画像生成部
５５      確認画面内画像生成部
５７      被写体位置明示部
６１      作業画面
６３      確認画面
６５      基準線
２０１    印刷装置
３０１    複合機
４０１    デジタルスチルカメラ
【図１】
2008016900.tif 000003
【図２】
2008016900.tif 000004
【図３】
2008016900.tif 000005
【図４】
2008016900.tif 000006
【図５】
2008016900.tif 000007
【図６】
2008016900.tif 000008
【図７】
2008016900.tif 000009
【図８】
2008016900.tif 000010
【図９】
2008016900.tif 000011
【図１０】
2008016900.tif 000012
【図１１】
2008016900.tif 000013
【図１２】
2008016900.tif 000014
【図１３】
2008016900.tif 000015
【図１４】
2008016900.tif 000016
【図１５】
2008016900.tif 000017
【図１６】
2008016900.tif 000018
【図１７】
2008016900.tif 000019
【図１８】
2008016900.tif 000020
【図１９】
2008016900.tif 000021
【図２０】
2008016900.tif 000022
【図２１】
2008016900.tif 000023
【図２２】
2008016900.tif 000024
【図２３】
2008016900.tif 000025
【図２４】
2008016900.tif 000026
【図２５】
2008016900.tif 000027
【図２６】
2008016900.tif 000028
【図２７】
2008016900.tif 000029
【図２８】
2008016900.tif 000030
【図２９】
2008016900.tif 000031
【図３０】
2008016900.tif 000032
【図３１】
2008016900.tif 000033
【図３２】
2008016900.tif 000034
【図３３】
2008016900.tif 000035
【図３４】
2008016900.tif 000036
【図３５】
2008016900.tif 000037
【図３６】
2008016900.tif 000038
【図３７】
2008016900.tif 000039
【図３８】
2008016900.tif 000040
【図３９】
2008016900.tif 000041